【手続補正書】
【提出日】平成16年11月12日(2004.11.12)
【手続補正２】
【補正対象書類名】手続補正書
【補正対象項目名】手続補正１
【補正方法】追加
【補正の内容】
【手続補正１】
【補正対象書類名】明細書
【補正対象項目名】全文
【補正方法】変更
【補正の内容】
【書類名】      明細書
【発明の名称】  ＣＤケース専用額縁
【特許請求の範囲】
【請求項１】  ＣＤケースを飾るための額縁で、額材の裏側の削り込み幅を左側より右側を大きくした構造を持つＣＤケース専用額縁。
【請求項２】  ＣＤのケースを適宜差し替え可能にする為の支持部および止め具一式を持つ請求項１のＣＤケース専用額縁。
【請求項３】  上下左右の枠を接着した後、額材裏の削り込み幅を調整する方法、および上下左右の枠を接着する前に額材各々の削り込み幅を調整する方法によって作られる請求項１のＣＤケース専用額縁。
【請求項４】  下枠２、または支持具７に穴を開けて、着脱可能な棒を挿した、請求項１のＣＤケース専用額縁。
【発明の詳細な説明】
【０００１】
【発明の属する技術分野】
この発明はコンパクトディスク（以下ＣＤと記す）のケースを額縁に飾る方法に関するものである。
【０００２】
【従来の技術】
ＣＤにはそれぞれ趣向を凝らしたジャケットがついているが、ケースごと額縁に飾ろうとした場合、ジャケットが額縁の中心に飾れる額縁がなかった。また、ジャケットを置くタイプの飾り台は存在したが、ケース全体が見えてしまい、ジャケットを美しく飾ることが出来なかった。
【０００３】
【発明が解決しようとする課題】
ＣＤのケースを額縁に飾ろうとした場合、ＣＤケースに対してジャケットが中心に入っていないため、従来の額縁のように裏側の削り込み幅が上下左右均等に作られた構造の枠にケースを飾ると、ジャケットが額縁の中心に出ず、美しく飾ることができなかった。
本発明はＣＤジャケットを美しく飾ることができ、かつ各人の好みに応じて自由にＣＤケースを入れ替えることができるように額縁の構造に工夫を加えたものである。
【０００４】
【課題を解決するための手段】
上下左右４本の額材の裏側の削り込み幅を各々変更し、額縁にＣＤケースをセットした際に、正面から見て、ジャケットが額縁窓の中心に来るようにする。また、ＣＤケースの入れ替えを容易にする支持具および留め具を額縁裏側に設ける。
【０００５】
【発明の実施の形態】
これを図面について説明すれば、まず、ＣＤのケースとジャケットの位置を、図４に示す。ＣＤケースの大きさは一般に正面からみて上下長さ１２６．０ｍｍ，左右長さ１４２．５ｍｍ，厚さ１０．５ｍｍである。図４の通り、ＣＤジャケットは中心から少し右にずれてケースに入っている。
ＣＤケース専用額縁を作る場合、表から見て、ＣＤジャケットのサイズは一般に１２０．０ｍｍ×１２０．０ｍｍなので、図５のように、一辺１１６．０ｍｍ程度、つまり、上下左右の枠を組んだとき、１１６．０ｍｍ×１１６．０ｍｍ程度の額縁窓１５が開くように作ればジャケットの周囲が隠れて見栄え良く額縁の中心に飾ることができる。
いま、仮に裏の削り込み幅が５．０ｍｍ，削り込み深さが９．０ｍｍの、図１３の額材１７を使って図５の寸法で１１６．０ｍｍ×１１６．０ｍｍの窓１５が開くように額縁を作った場合、図６のように、裏のＣＤケースが入るべきスペースは、１２６．０ｍｍ×１２６．０ｍｍとなる。これではＣＤケースが入らないので、図７のように、左枠３をさらに１３．０ｍｍ（合計削り込み幅１８．０ｍｍになる）、右枠４をさらに３．５ｍｍ（合計削り込み幅８．５ｍｍになる）削り込む。これによって、裏のＣＤケースが入るべきスペースは、上下１２６．０ｍｍ×左右１４２．５ｍｍとなり、図８のように、ＣＤのケース１３がぴったりはまるようになる。また、表から見ると、ＣＤジャケット１４がちょうど額縁の窓１５の中心に出てくる。なお、正面から見た窓のサイズは、一辺１２０．０ｍｍより小さい寸法に適宜変更することによりＣＤジャケットの飾りたい範囲を変更できる。また、裏から見たＣＤケースの入るスペースはＣＤケースを出し入れしやすくするために、上下１２６．０ｍｍ×左右１４２．５ｍｍにそれぞれ０．５ｍｍ程度加えた寸法にする。
ＣＤケースを額縁にセットし、かつ固定するために、図９のように、下枠２にＣＤケースを支える支持具７を設け、上枠１に、三角形の、ＣＤケースを固定する止め具１１を木ねじ１６で回転できるようにとめる。
ＣＤケースの厚みは１０．５ｍｍなので、仮に図１３のような額材１７の削り込み深さが９．０ｍｍの場合の支持具７を深さ１．５ｍｍ削り込む。また、ＣＤケースを出し入れしやすくするため、削り込みの端１０は図１０のように適宜斜めに削る。
三角形の、回転させてＣＤケースを固定する止め具１１は、ＣＤケース１３の厚さに合わせて、支持具７と同じだけＣＤケースを止める部分１２を削り込み、ＣＤケース１３をセットしていないときは図１１のようになり、６０°回転させたときに、図１２のようになって、ＣＤケースを止める部分１２がＣＤを額縁に固定する役目を果たす。この止め具１１は三角形の重心から一辺まで垂直に引いた長さより、重心から頂点までの長さのほうが長いことを利用したものであり、約６０°回転させることにより、三角形の頂点部分の少ない面積でＣＤケース１３を固定できる。額縁を壁など垂直部分に飾る場合、上枠１の中心に金具を付けて引っかけて吊るすことになる。
なお、額材の形状はさまざまであるが、このＣＤケース専用額縁を作る際は、表からみたＣＤジャケット１４の位置に合わせて削り込む、裏のＣＤケースが入るべきスペース、上下１２６．０ｍｍ×左右１４２．５ｍｍにそれぞれ０．５ｍｍ程度加えた寸法に作り、下枠２のＣＤケース１３を支える支持部、および上枠の三角形の回転させてＣＤケースを固定する止め具一式の削り込み深さはＣＤケース１３の厚み１０．５ｍｍから額縁の裏側の削り込み深さをひいた寸法となる。
支持具７を付けた状態で下枠２に穴８を開け、棒９を挿すと、このＣＤケース専用額縁を、金具等で壁面に掛けて飾るという方法のほかに、平らなところに立てられるようになるので、２通りの飾り方ができるようになる。
【０００６】
なお、裏面の削り込みの形状は上下左右４本の枠を接着する前に各々の削り込み幅を調整すると、図７のようになり、上下左右４本の枠を接着したあとで各々の削り込み幅を調整すると、図１４のようになる。
【０００７】
【発明の効果】
ＣＤをケースごと飾ることができ、なおかつＣＤのジャケットを額縁の表からみて中心にセットできるようになった。又、支持具および止め具の構造により、ＣＤケースを額縁にセット、および固定がしやすくなるだけでなく、ＣＤケースと額縁との摩擦も少なくて済むので、ＣＤケースにキズをつけにくくなっている。止め具は、正三角形に近い形にすることで、ＣＤケース専用額縁を裏から見た場合、デザイン上の良いアクセントとなっている。
ＣＤケースそのものを一般の額縁のガラスやアクリル板のように活かせるので、ＣＤジャケットを一般の「絵画」や「写真」のように美しく飾ることができるようになった。また、ＣＤケースの厚みはほとんど額縁の中に含まれてしまうので、壁などに掛ける際、横からＣＤケースが見えてしまったりせず、すっきりした外観となった。このＣＤケース専用額縁はＣＤと同じ大きさのケースをもつＤＶＤ、ＣＤ−Ｒ、ＣＤ−ＲＷ等のケースを飾る場合にも使うことができる。
【図面の簡単な説明】
【図１】
本発明の実施例を裏側から見た斜視図。
【図２】
本発明の実施例を表側から見た斜視図。
【図３】
本発明の実施例の枠のみを裏からみた斜視図。
【図４】
ＣＤケース、およびＣＤジャケットの斜視図。
【図５】
本発明の実施例を表から見た平面図。
【図６】
図５の裏に本発明を施す前の状態の平面図。
【図７】
図６に本発明を施した状態の平面図。
【図８】
図７にＣＤケースをセットした状態の平面図。
【図９】
止め具一式の斜視図。
【図１０】
止め具一式の図１２のＡ−Ａ′での断面図。
【図１１】
ＣＤケースをセットしない状態で本発明の裏から見た平面図。
【図１２】
ＣＤケースをセットした状態で本発明の裏から見た平面図。
【図１３】
額材の断面図。
【図１４】
本発明の他の実施例を裏からみた平面図。
【符号の説明】
１は上枠，２は下枠，３は左枠，４は右枠，５は額材の削り込み幅，６は額材の削り込み深さ，７は支持具，８は支持具の穴，９は棒，１０は支持具の削り込みの端，１１は止め具，１２は止め具のＣＤケースを止める部分，１３はＣＤケース，１４はＣＤジャケット，１５は額縁窓，１６は木ネジ，１７は額材